(57)【要約】【目的】  混濁汚水から汚染物質を除去して、水を浄化する汚水処理装置を提供する。【解決手段】  混濁汚水を吸引するポンプ５の部分にバイパス流路が存在し、バイパス流路中の凝集剤混入器１３内で凝集剤の混入がなされ、ポンプの送出側には、混濁汚水が流入口から対向位置の流出口に向かって流れる２以上の分岐流路を有したループ状の攪拌器９が２つ以上、隣接する上流側の攪拌器の流出口と下流側の攪拌器の流入口とが接続された状態で直列に連結されており、凝集剤を含む混濁汚水は、上流側の攪拌器の流入口側の分岐部で分流され、各分岐流路を流れた後、流出口側の合流部で合流して下流側の攪拌器へ誘導され、最も下流側の攪拌器の下流側には固液分離器１０が設けられており、固液分離された液体は更に浮遊塵除去部へ移送され、上流側の槽から下流の槽へオーバーフロー管２８を通って移送されることで浄化がなされる構造を有する。【選択図】  図１
2006122872.tif 000002
【特許請求の範囲】
【請求項１】
汚染物質を含有した混濁汚水の中から汚染物質を除去することにより水の浄化を図るための装置であって、当該装置が、前記混濁汚水を中和処理するための中和処理部と、前記中和処理部で処理された混濁汚水に、前記汚染物質を凝集させることが可能な凝集剤を投入することにより汚染物質を凝集させて分離させるための固液分離部と、前記固液分離部で分離された液体中に含有される塵を除去するための浮遊塵除去部とを具備し、前記固液分離部には、前記中和処理部で処理された混濁汚水を吸引するためのポンプが設けられており、当該ポンプから送出される混濁汚水を再びポンプの吸引側に誘導するためのバイパス流路が存在しており、前記バイパス流路の途中には、当該バイパス流路を流れる混濁汚水に前記凝集剤を混入させるための凝集剤混入器が設けられており、前記凝集剤が内部に貯蔵されたホッパーから前記凝集剤混入器へ供給される凝集剤の量が、インバーター制御されたモーター駆動を有した凝集剤定量供給器によって定量制御され、前記固液分離部における前記ポンプの送出側には、前記混濁汚水と前記凝集剤を攪拌混合させるための手段として、前記混濁汚水が流入する流入口から対向する位置に設けられた流出口に向かって２以上の分岐流路を有するループ状の攪拌器が２つ以上、隣接する上流側の攪拌器の流出口と下流側の攪拌器の流入口と接続されるようにして直列に連結されて配置されており、前記攪拌器においては、前記ポンプから送出された混濁汚水が、最も上流側に位置する前記攪拌器の流入口へ誘導され、当該流入口近傍に設けられた分岐部にて前記混濁汚水が分流して前記分岐流路をそれぞれ流れ、前記流出口近傍に設けられた合流部では当該混濁汚水が互いに衝突して合流し、その後、順次下流側の攪拌器の流入口に誘導されること、前記固液分離部における、最も下流側に位置する攪拌器の下流側には、比重差を利用して固液分離が可能な固液分離器が少なくとも１つ接続されていること、及び、前記固液分離器で分離された液体が前記浮遊塵除去部へ移送され、当該浮遊塵除去部が、２以上の実質的に容器状の浮遊塵除去槽から構成され、隣接する各除去槽同士が当該除去槽の上部側に設けられたオーバーフロー管によって連結されており、最も上流側に位置する除去槽内に流れ込んだ液体が当該オーバーフロー管を通って順次下流側の浮遊塵除去槽へ移送されるようになっており、前記の各オーバーフロー管の流入側と流出側の少なくとも一方には、浮遊塵を除去するための網状のオーバーフローフィルターが設置されており、各浮遊塵除去槽の下部側には、当該除去槽内に沈殿した沈殿塵を取り出すための沈殿塵引き抜き弁が設けられていることを特徴とする汚水処理装置。
【請求項２】
最も下流側に位置する前記浮遊塵除去槽に、当該除去槽内の処理水の水質を検出し得る水質センサーが設置されており、前記装置が、当該水質センサーからの水質情報に応じて、前記ポンプを通過する前記混濁汚水の流量と、前記凝集剤定量供給器により供給される凝集剤の混入量の調整が可能な集中制御部を具備していることを特徴とする請求項１に記載の汚水処理装置。
【請求項３】
前記攪拌器における分岐流路の合流部側にそれぞれ、先細り形状の放出ノズルが設けられており、各分岐流路を流れた混濁汚水が前記放出ノズルの先端開口から加速されて放出されて互いに衝突するようになっていることを特徴とする請求項１又は２に記載の汚水処理装置。
【請求項４】
前記浮遊塵除去槽内の中間高さの位置に、当該除去槽の横断面全体を覆うようにしてメッシュ構造を有する沈殿塵再浮上防止フィルターが設置されていることを特徴とする請求項１〜３のいずれか１項に記載の汚水処理装置。
【発明の詳細な説明】
【技術分野】
【０００１】
本発明は、土木建設工事廃水や工場廃水、地下水中に含まれる無機・有機系不純物を取り除き、処理水を河川放流、公共下水放流又は、工業用再生水として浄化することが可能な汚水処理装置に関するものである。
【背景技術】
【０００２】
従来より、汚染物質を含む混濁汚水から固形物を沈殿分離させる際、沈殿速度を高めるために凝集剤を投入することが知られており、このような凝集分離処理を行なうための装置が種々提案されてきている。
例えば図５に示されるような従来の凝集分離処理装置の場合、汚濁水は原水槽３１内に導入された後、中和装置３２内で中和処理され、反応槽３５へ移送され、この槽内に凝集剤槽３３から薬注ポンプ３４を経て凝集剤が投入されるようになっている。そして、凝集剤が投入された汚濁水は、機械的攪拌機構を有した沈降式固液分離槽３６内で液体と固体に分離され、固体状の汚物については槽の下部から排出ポンプ３７にて取り出され、固液分離後の液体については処理水槽３８へ移送され、水質センサー３９で水質（濁度、ｐＨ値等）をチェックした後、処理水として放流又は再利用される。
しかしながら、図５に例示した装置の場合、沈降式固液分離槽３６は反応槽で、液体凝集剤を投入するされた汚水をモーターに連結された攪拌棒でゆっくり攪拌し、一定時間が経過した後で、沈降した汚物が排出ポンプにより排出され、処理水は、沈降式固液分離槽３６の上部外壁に沿って設けられた溝の部分にオーバーフローしたものが処理水槽３８に送られるようになっている。従って、沈降式固液分離槽３６の処理速度は、凝集剤によりできた沈殿物の自然沈降に依存するため、装置全体の処理量が増えると比例して大きな容量の槽が必要となる。また、この装置では、沈降式固液分離槽３６内で充分に沈降しない比較的比重の軽い浮遊塵が除去できずに処理槽に送られ、汚水の性質によっては濁度が下がらないまま放流される場合がある。その上、図５の装置において凝集剤として粉体凝集剤を投入する場合には、凝集剤を投入した後で急速に攪拌を行なわないと充分な凝集効果が得られず、タンク貯留した汚濁水にただ単に粉体凝集剤を投入するだけでは汚染物質を効果的に凝集させることは困難であるという問題点もある。
この他、凝集剤を添加することによって、汚染物質を含む混濁汚水から固形物を沈殿分離させるための装置としては、例えば下記の特許文献１に記載されているものがある。
【特許文献１】特開２００２−１２６７５５号公報
【０００３】
この特許文献１に記載される凝集分離処理装置は、無機凝集剤の添加により原水中の懸濁質を凝集させる凝集装置と、凝集した懸濁質を汚泥として沈殿回収する汚泥固液分離装置とを含み、凝集装置に原水を導入する経路又は経路中に設けた凝集剤混和槽に対して、沈殿回収された汚泥の酸処理槽及び酸処理汚泥固液分離槽からの無機凝集剤の金属イオン及び酸処理汚泥の一部を戻す返送系を設けたことを特徴とするものであるが、この装置を含め、これまでに知られている処理装置はいずれも、凝集沈殿槽やタンクの装置全体に占める部分が多く、単位処理流量に対して装置全体が大型となるという問題があった。
【発明の開示】
【発明が解決しようとする課題】
【０００４】
本発明は、上述の問題点を解決し、装置内に設けられた一つのポンプによって連続処理が可能であり、しかも、複数個の凝集沈殿槽（タンク）が不要であることによって装置が小型化が達成できる構造を有した汚水処理装置を提供することを課題とする。
【課題を解決するための手段】
【０００５】
前記課題を解決可能な本発明の混濁汚水浄化装置は、汚染物質を含有した混濁汚水の中から汚染物質を除去することにより水の浄化を図るための装置であって、当該装置が、前記混濁汚水を中和処理するための中和処理部と、前記中和処理部で処理された混濁汚水に、前記汚染物質を凝集させることが可能な凝集剤を投入することにより汚染物質を凝集させて分離させるための固液分離部と、前記固液分離部で分離された液体中に含有される塵を除去するための浮遊塵除去部とを具備し、前記固液分離部には、前記中和処理部で処理された混濁汚水を吸引するためのポンプが設けられており、当該ポンプから送出される混濁汚水を再びポンプの吸引側に誘導するためのバイパス流路が存在しており、前記バイパス流路の途中には、当該バイパス流路を流れる混濁汚水に前記凝集剤を混入させるための凝集剤混入器が設けられており、前記凝集剤が内部に貯蔵されたホッパーから前記凝集剤混入器へ供給される凝集剤の量が、インバーター制御されたモーター駆動を有した凝集剤定量供給器によって定量制御され、前記固液分離部における前記ポンプの送出側には、前記混濁汚水と前記凝集剤を攪拌混合させるための手段として、前記混濁汚水が流入する流入口から対向する位置に設けられた流出口に向かって２以上の分岐流路を有するループ状の攪拌器が２つ以上、隣接する上流側の攪拌器の流出口と下流側の攪拌器の流入口と接続されるようにして直列に連結されて配置されており、前記攪拌器においては、前記ポンプから送出された混濁汚水が、最も上流側に位置する前記攪拌器の流入口へ誘導され、当該流入口近傍に設けられた分岐部にて前記混濁汚水が分流して前記分岐流路をそれぞれ流れ、前記流出口近傍に設けられた合流部では当該混濁汚水が互いに衝突して合流し、その後、順次下流側の攪拌器の流入口に誘導されること、前記固液分離部における、最も下流側に位置する攪拌器の下流側には、比重差を利用して固液分離が可能な固液分離器が少なくとも１つ接続されていること、及び、前記固液分離器で分離された液体が前記浮遊塵除去部へ移送され、当該浮遊塵除去部が、２以上の実質的に容器状の浮遊塵除去槽から構成され、隣接する各除去槽同士が当該除去槽の上部側に設けられたオーバーフロー管によって連結されており、最も上流側に位置する除去槽内に流れ込んだ液体が当該オーバーフロー管を通って順次下流側の浮遊塵除去槽へ移送されるようになっており、前記の各オーバーフロー管の流入側と流出側の少なくとも一方には、浮遊塵を除去するための網状のオーバーフローフィルターが設置されており、各浮遊塵除去槽の下部側には、当該除去槽内に沈殿した沈殿塵を取り出すための沈殿塵引き抜き弁が設けられていることを特徴とする。
【０００６】
又、本発明は、上述の構造を有した装置において、最も下流側に位置する前記浮遊塵除去槽に、当該除去槽内の処理水の水質を検出し得る水質センサーが設置されており、前記装置が、当該水質センサーからの水質情報に応じて、前記ポンプを通過する前記混濁汚水の流量と、前記凝集剤定量供給器により供給される凝集剤の混入量の調整が可能な集中制御部を具備していることを特徴とするものである。
【０００７】
更に、本発明は、上述の構造を有した装置において、前記攪拌器における分岐流路の合流部側にそれぞれ、先細り形状の放出ノズルが設けられており、各分岐流路を流れた混濁汚水が前記放出ノズルの先端開口から加速されて放出されて互いに衝突するようになっていることを特徴とするものでもある。
【０００８】
又、本発明は、上述の構造を有した装置において、前記浮遊塵除去槽内の中間高さの位置に、当該除去槽の横断面全体を覆うようにしてメッシュ構造を有する沈殿塵再浮上防止フィルターが設置されていることを特徴とするものでもある。
【発明の効果】
【０００９】
本発明の汚水処理装置では、２以上の分岐流路を有した攪拌器内で水流によるキャビテーション効果を利用し、混濁汚水と凝集剤を急速かつ充分に攪拌することが可能であり、固液分離器にて比重の重い汚物を分離した後、固液分離器で分離された液体が浮遊塵除去槽に移送されて、液体の流速が下げた状態で浮遊塵の除去が行なえる機構を有しているために、幅広い範囲の汚水に対応して浄化が可能である。特に、本発明の混濁汚水浄化装置を用いることにより、有機系汚水、有機系汚泥、無機系汚水、無機系汚泥、油脂含有汚泥などの混合汚水中に含まれる重金属、有機化合物、油類などの汚染物質を効率良く除去することができる。
又、本発明の汚水処理装置においては、流路内において凝集剤の投入と攪拌が可能であるために、処理流量に比例してポンプ能力と流路内面積が比例するだけで、装置全体の大きさを、従来の処理装置と比較して大変小さく設計できるという利点がある。更に、本発明の処理装置の場合、装置内に設けられた一つのポンプによって連続処理が可能である構造であるために、バッチ式処理装置のような複数個のタンクが不要で、これによって、装置を小型化することができる。
【発明を実施するための最良の形態】
【００１０】
まず、本発明の汚水処理装置の好ましい一例における構成を示す概要図を図１に示し、本発明を詳細に説明する。
図１に示されるように、本発明の汚水処理装置においては、混濁汚水と凝集剤の混合・固液分離を行なうための固液分離部に送られる前の混濁汚水を事前に中和処理するための中和処理部として、浄化前の汚濁水を貯留するための原水槽１、中和処理を行なうための中和装置２、中和処理後の中和原水を貯留し、中和によって発生した塩等を沈殿させるための中和原水槽３が設けられており、汚濁汚水は原水槽１内に導入された後、中和装置２内で中和処理され、中和原水槽３内に貯留される。そして、この装置の固液分離部には、中和処理部で処理された混濁汚水を装置の内部に吸引し圧送するためのポンプ５が設けられており、このポンプ５はモーター６によって駆動される。このポンプ５の部分には、ポンプ５の排出側（下流側）から送出される混濁汚水が再びポンプの吸引側（上流側）に誘導されるようにバイパス流路が形成されており、このバイパス流路の途中に、バイパス流路を流れる混濁汚水に凝集剤を混入させるための凝集剤混入器１３が設けられている。尚、混濁汚水のｐＨ値を調整し、凝集効果を高めるための中和剤としては、硫酸バンドや炭酸ガスなどが一般的である。
【００１１】
図２は、本発明において好ましい、凝集剤が投入される部分の詳細の一例を示す図であり、ポンプ（混濁ポンプ）５に吸引された水は、攪拌器へ向かう本流と流量調整バルブ２１を介し、混合タンク１８へ向かう濁水排出支流路２０に分かれ、一定の流量の濁水が混合タンク１８に入るようになっている。ホッパー７に入れられた粉体凝集剤は、インバーターで制御されたモーター駆動の粉体切り出し器１９を具備した凝集剤定量供給器（粉体凝集剤投入器）１３から混合タンク１８へ定量切り出しされ、投下される。そして、混合タンク１８内で水流により攪拌された濁水と凝集剤は、混合液吸入路１７を通り、吸引流量バルブ１６によって定量がポンプ５に吸引され、二次側へ送り出される。本発明の装置における粉体切り出し器１９は、ホッパー下部から落下した粉体が水平方向に回転する歯車状の回転体をインバーターによって回転させ、その歯車間に落ちた粉を切り出し部下部孔より落下させるターンテーブル切り出しになっている構造のものが好ましく、図１中の符号８は、必要に応じて液体凝集剤を投入する際に使用される液体凝集剤投入器である。本発明では、凝集剤を投与するための投入器が、ポンプの上流と下流間に設けられたバイパス配管の中間に配された混合タンクに投入する構造であるために粉体凝集剤と液体凝集剤の双方が投入可能である。
尚、図２において、混合タンク１８の内部上壁面から垂直方向に垂れ下がって設けられている符号２２の部分は、タンク内部に設けられた２孔以上のノズルを有し、かつ濁水がタンク内壁に沿って一定方向に回転するように配される攪拌ノズルであり、この攪拌ノズルは、特に粉体凝集剤のように濁水に対し比重の軽い凝集剤を急速に溶かす作用をし、タンク内に投入された凝集剤がタンク壁面や底部に溜まるのを防ぐ役割も果たす。このような攪拌ノズル２２は一般的にはプラスチック製の材質より成る。
【００１２】
上記の構成より成る凝集剤混入部分の特徴としては、ポンプの本流からのバイパス回路が設けられ、その流路の途中に混合タンクを設けて一定の液位を保つことによって大気圧中に一定流量を開放して流し、そこへ粉体凝集剤を投入することにより、一定のポンプ吸水量に対して粉体凝集剤の定量投入が可能になる。凝集剤混入器１３へ供給される凝集剤は一般に粒径が２０μｍ〜５００μｍ程度の顆粒状であり、その種類については、処理の対象となる汚染物質の種類に応じて適宜選択されるが、重金属やダイオキシンなどの汚染物質を凝集させるための一般的な凝集剤としては、無機系凝集剤等が好ましく、上記の凝集剤はいずれも、撹拌を効果的に行うほど凝集効果の上がる凝集剤である。
本発明の汚水処理装置を構成する固液分離部には、モーターを駆動源とした自吸能力があり、０．０１〜０．１Ｍｐａ程度の吐出圧を有する濁水ポンプから吐出された汚濁水に粉体凝集剤投入器又は液体凝集剤投入器より、粉体凝集剤又は液体凝集剤及び、その両方を、混濁水の性質又は汚れの程度、処理水の浄化レベル又は、用途に合わせて混入することができる。この固液分離部（無タンク式固液分離機）は、タンクを内蔵せず、液体、粉体双方の凝集剤投入ができるという特徴を有し、他の同等処理能力のタンク内蔵型の同システムに比べ、非常に軽量、小型に設計できる。
【００１３】
更に、本発明の汚水処理装置における固液分離部には、図１に示されるようにして、ポンプ５の送出側に、混濁汚水と凝集剤を攪拌・混合させるための手段として、混濁汚水が流入する流入口から対向する位置に設けられた流出口に向かって２以上の分岐流路を有するループ状の攪拌器９が２つ以上、隣接する上流側の攪拌器９の流出口が下流側の攪拌器９の流入口と接続されるようにして直列に連結された状態で配置されており、ポンプ５から送出された混濁汚水は、最も上流側に位置する攪拌器９の流入口へ誘導され、この攪拌器９の流入口近傍に設けられた分岐部にて混濁汚水が分流して各分岐流路を流れ、流出口近傍に設けられた合流部において各分岐流路を流れた混濁汚水が互いに衝突して合流した後、順次下流側に位置する攪拌器９の流入口に誘導され、凝集剤が混入された混濁汚水の分岐・合流が繰り返されて攪拌される構造となっている。
【００１４】
図３は、図１の装置における好ましい攪拌器９の外観及び内部構造を示す図で、流入口２３から流出口２６までの混濁汚水の流動方向が矢印によって示されている。この図３に例示した攪拌器は、２つの分岐流路を有するものであるが、本発明における攪拌器の構造はこれに限定されるものではなく、３つ又はそれ以上の数の分岐流路を有した構造であっても良い。但し、攪拌器９での攪拌効率を高めるためには、各分岐流路を流れる混濁汚水の単位時間当たりの量（容積）がほぼ等しくなるようにして分岐流路は設ける必要がある。図３の攪拌器９の場合には、図面左側に位置する流入口２３から流入した混濁汚水が、分岐部２４ａにおいて矢印で示されるように１８０度逆方向に２つに分岐され、各分岐流路を流れた後、流出口２６附近に設けられた合流部２４ｂで衝突して合流するようになっている。この際、凝集剤と混濁汚水を効果的に撹拌混合するためには、図３の点線で示されるようにして、合流部２４ｂ内に、各分岐流路を流れた混濁汚水が勢いよくぶつかり合うように、先端が先細り状になった放射ノズル２５を対向して設け、各分岐流路を流れた混濁汚水が放射ノズル２５で加速されて衝突する構造とすることが好ましい。本発明の汚水処理装置には、このような構造の攪拌器９が複数個直列に連結されているので、各攪拌器での分流衝突撹拌により、効果的な撹拌が達成され、汚染物質の凝集効果が高くなるという利点がある。
【００１５】
又、本発明の汚水処理装置においては、最も下流側に位置する攪拌器９の流出口側に、比重差を利用して固液分離が可能な固液分離器１０が少なくとも１つ接続されており、一般的には、水流を利用したサイクロンセパレーター構造のものが用いられる。
【００１６】
更に、本発明の汚水処理装置には、固液分離部から排出された処理水中に含有される塵を除去するための浮遊塵除去部が設けられており、この浮遊塵除去部は、２以上の実質的に容器状の浮遊塵除去槽から構成され、固液分離器で分離された液体は、図１に示されるようにして浮遊塵除去部へ移送される。
図４は、本発明における浮遊塵除去槽１１の内部構造を示す詳細図であり、各槽１１はそれぞれ独立しており、隣接する除去槽同士は除去槽の上部側に設けられたオーバーフロー管２８によってのみ連結されており、流入バルブ２９を通って、最も上流側に位置する除去槽内に流れ込んだ液体は、槽の上側部分に設けられたオーバーフロー管２８を通って順次下流側の浮遊塵除去槽へ移送されるようになっていて、最も下流側に位置する槽から排出バルブ３０を経て処理水として取り出される。尚、各浮遊塵除去槽１１に設けられたオーバーフロー管２８のそれぞれには、流入側と流出側の少なくとも一方に、浮遊塵を除去するための網状のオーバーフローフィルター１５が設置されており、このオーバーフローフィルターによって、比重の軽い塵が隣接する槽に流入するのが防止できる。又、本発明の装置では、各浮遊塵除去槽１１の下部側に、除去槽内に沈殿した沈殿塵を取り出すための沈殿塵引き抜き弁１４が設けられている。
本発明では、図４に示されるようにして、浮遊塵除去槽１１内の中間高さの位置に、除去槽の横断面全体を覆うようにしてメッシュ構造を有する沈殿塵再浮上防止フィルター２７が設置されていることが好ましく、これによって、槽内に流入した後、流速が落ちることで沈殿した塵が槽内の流速変化で再浮上するのが有効に防止でき、上記の構造を有した浮遊塵除去槽１１に、固液分離部から排出された処理水を通過させることにより、システム全体の最終処理水（浄水）の濁度を２０〜５にまで低下させることができる。
【００１７】
本発明の汚水処理装置においては、最も下流側に位置する浮遊塵除去槽１１に、図１に示されるようにして、当該除去槽内の処理水の水質を検出し得る水質センサー１２が設置された構造とすることが好ましく、この場合には、水質センサー１２からの水質情報（濁度、ｐＨ値等）に基づいて、最適な汚水処理（汚染物質の除去）が達成できるように、集中制御部４からの電気信号によって、ポンプ５を通過する混濁汚水の流量と、凝集剤定量供給器１３により供給される凝集剤の混入量が制御される構造とする。
具体的には、水質センサーで感知した水質を、集中制御部（集中制御機）にフィードバックし、固液分離部のモーターの回転数をインバーター制御することでポンプの吐出流量を変化させ、それと共に粉体凝集剤投入器及び液体凝集剤投入器からの凝集剤投入量を制御し、処理水用途に対して、最良な状態の全装置の自動運転がなされるようにする。
【００１８】
本発明の汚水処理装置では、固液分離部を通過した処理水の中で、比重差だけで分離しきれなかった浮遊塵が浮遊塵除去槽に導入され、浮遊塵除去槽は、複数槽に分離され、それぞれの槽の流入口及び、排出口には、金属及び非金属の網が設けられていて、凝集剤を混入し、ある程度大きなフロックを形成した浮遊塵が、次の槽に流入するのを最小限に防いでいる。そして、槽に流入した浮遊塵は、流速が落ちることで槽の底に沈み、むが、一度沈んだ塵が、槽の下部に設けられた網状のストレーナーにより、再浮上しにくくなっている。この槽の下端には、沈んだ塵が、堆積した汚泥を取り出す弁が設けられている。このような槽を複数通過させることにより、汚濁水中の濁度は低下し、最終槽より排出された処理水は、河川放流も可能な程度まで浄化される。
ところで、本発明の汚水処理装置の流路は、金属製（ＳＵＳ、ブロンズ、鉄等）とプラスチック及びゴム製のホースで構成されており、流路内を流れる混濁汚水によって流路内壁の磨耗が極力おさえられるように、混濁汚水の各部の流速が６ｍ／ｓｅｃ以下になるように設計することが好ましい。
【産業上の利用可能性】
【００１９】
本発明の汚水処理装置を使用することによって、有機系汚水、無機系汚水などの混合汚水の中から重金属、有機化合物、油類などの汚染物質の除去が効果的に行なえる。
【図面の簡単な説明】
【００２０】
【図１】本発明の汚水処理装置の好ましい一例における構成を示す概要図である。
【図２】本発明において好ましい、凝集剤が投入される部分の詳細の一例を示す図である。
【図３】図１の装置における好ましい攪拌器９の外観及び内部構造を示す図である。
【図４】本発明における浮遊塵除去槽１１の内部構造を示す詳細図である。
【図５】従来の凝集分離処理装置の一例における構成図である。
【符号の説明】
【００２１】
１、３１  原水槽
２、３２  中和装置
３  中和原水槽
４  集中制御部（集中制御機）
５  ポンプ
６  モーター
７  ホッパー
８  液体凝集剤投入器
９  攪拌器
１０  固液分離器
１１  浮遊塵除去部
１２、３９  水質センサー
１３  凝集剤混入器
１４  沈殿塵引き抜き弁
１５  オーバーフローフィルター
１６  吸引流量バルブ
１７  混合液吸入路
１８  混合タンク
１９  粉体切り出し器
２０  濁水排出支流路
２１  流量調整バルブ
２２  タンク内攪拌ノズル
２３  流入口
２４ａ  分岐部
２４ｂ  合流部
２５  放射ノズル
２６  流出口
２７  沈殿塵再浮上防止フィルター
２８  オーバーフロー管
２９  流入バルブ
３０  排出バルブ
３３  凝集剤槽
３４  薬注ポンプ
３５  反応槽
３６  沈降式固液分離槽
３７  排出ポンプ
３８  処理水槽
【図１】
2006122872.tif 000003
【図２】
2006122872.tif 000004
【図３】
2006122872.tif 000005
【図４】
2006122872.tif 000006
【図５】
2006122872.tif 000007